(57)【要約】【課題】水槽当接面の反りを抑えることで隙間の発生を防止して、本体内部に吸込んだ空気を無駄なく気化フィルタに通過させ、高い加湿効率を発揮できる加湿装置を提供すること。【解決手段】本体外装を形成する本体枠１と、本体に設けられた挿入口５より挿脱自在に装着され、一定量の水が貯えられる水槽部６と、送風経路を形成する送風ケース１７と、送風経路に送風する送風機１６と、水槽部６の水中に下部が浸された状態で送風経路中に設置される気化フィルタ８と、挿入口５から水槽部６を収容する水槽収容部７とを備えた加湿装置において、水槽部６を装着した状態で水槽部先端面１３との隙間を生じない水槽当接面２３を水槽収容部７の最奥部に設けるとともに、水槽当接面２３は、本体枠１および送風ケース１７により挟み込むことで位置決めされることとした。【選択図】図３
2015021636.tif 000002
【特許請求の範囲】
【請求項１】
本体外装を形成する本体枠と、前記本体に設けられた挿入口より挿脱自在に装着され、一定量の水が貯えられる水槽部と、吸込口と吹出口を連通する送風経路を形成する送風ケースと、前記送風ケースに取り付けられて送風経路に送風する送風機と、前記水槽部の水中に下部が浸された状態で送風経路中に設置される気化フィルタと、前記挿入口から前記水槽部を収容する水槽収容部とを備えた加湿装置において、前記水槽部を装着した状態で水槽部先端面との隙間を生じない水槽当接面を前記水槽収容部の最奥部に設けるとともに、前記水槽当接面は、前記本体枠および前記送風ケースにより挟み込むことで位置決めされることを特徴とする加湿装置。
【請求項２】
前記水槽当接面は、前記本体枠および前記送風ケースに設けた嵌合構造だけで係止されることを特徴とする請求項１記載の加湿装置。
【請求項３】
前記水槽当接面は、前記送風ケースと一体成型されることを特徴とする請求項２記載の加湿装置。
【発明の詳細な説明】
【技術分野】
【０００１】
本発明は、室内の乾燥を防止するための加湿装置に関するものである。
【背景技術】
【０００２】
特許文献１に示す従来の加湿装置は、加湿装置本体の下方に受液部である水槽部が挿脱自在に設けられており、この水槽部には気化促進材である気化フィルタが下部を水槽部内の水に浸漬した状態で設置されている。水槽部が装着された状態において、水槽部を介して加湿装置本体内部に吸込口と吹出口を連通する送風経路が形成され、吸込口から取り込んだ室内空気を気化フィルタに通過させる際に加湿空気として吹出口から排出する。
【先行技術文献】
【特許文献】
【０００３】
【特許文献１】特開２００７−３０９６１０号公報
【発明の概要】
【発明が解決しようとする課題】
【０００４】
このような加湿装置においては、水槽部が装着された状態で加湿装置本体に水槽部を収容する水槽収容部の内壁と水槽部との間に隙間が生じると、気化フィルタを通過する送風経路よりも圧力損失の小さい隙間の方に空気は流れやすくなる。これにより、この隙間を通じて送風経路以外に空気が漏れてしまうために気化フィルタを通過せずに空気が室内に排出されてしまい、加湿効率の低下を生じてしまうという問題があった。
【０００５】
そのため、加湿装置の設計に当たっては、水槽部の先端面と水槽収容部との間に隙間が生じないように部品配置を調整しているが、加湿装置の多くの部品に樹脂成型品を使用していることから部品表面には金型から離型するための抜き勾配が設けられており、この抜き勾配によって部品間に隙間が生じてしまっていた。
【０００６】
また、樹脂成型品には成型時の反りという問題がある。水槽部の先端面に前述の抜き勾配が設けられているため、水槽収容部内で水槽部の先端面が当接する水槽当接面の形状をこの抜き勾配に沿って設けたとしても、水槽当接面に反りが生じるとこの反りにより隙間が生じてしまう場合がある。例えば、図８に示すように水槽部３１が装着状態において、水槽当接面３２が反りによって水槽部３１の挿入口側に位置がずれてしまった場合、水槽当接面３２が水槽部先端面３３を挿入口側に押し出す状態となり、水槽部３１の挿入口が閉まりきらないため隙間が生じてしまう。逆に、図９に示すように水槽当接面３２が反りによって外装側に位置がずれてしまった場合、設計上は当接するはずの水槽部先端面３３と水槽当接面３２との距離が開いて当接しないため、隙間が生じてしまう。
【０００７】
本発明は上記課題を解決するためのもので、水槽当接面の反りを抑えることで隙間の発生を防止して、本体内部に吸込んだ空気を無駄なく気化フィルタに通過させ、高い加湿効率を発揮できる加湿装置を提供することを目的とする。
【課題を解決するための手段】
【０００８】
本発明は、本体外装を形成する本体枠と、前記本体に設けられた挿入口より挿脱自在に装着され、一定量の水が貯えられる水槽部と、吸込口と吹出口を連通する送風経路を形成する送風ケースと、前記送風ケースに取り付けられて送風経路に送風する送風機と、前記水槽部の水中に下部が浸された状態で送風経路中に設置される気化フィルタと、前記挿入口から前記水槽部を収容する水槽収容部とを備えた加湿装置において、前記水槽部を装着した状態で水槽部先端面との隙間を生じない水槽当接面を前記水槽収容部の最奥部に設けるとともに、前記水槽当接面は、前記本体枠および前記送風ケースにより挟み込むことで位置決めされることを特徴とする加湿装置に係わるものである。
【０００９】
また、前記水槽当接面は、前記本体枠および前記送風ケースに設けた嵌合構造だけで係止されることを特徴とする請求項１記載の加湿装置に係わるものである。
【００１０】
また、前記水槽当接面は、前記送風ケースと一体成型されることを特徴とする請求項２記載の加湿装置に係わるものである。
【発明の効果】
【００１１】
上述の構成にすることにより、水槽当接面の反りを抑えることで水槽当接面と水槽部先端面との隙間が発生しないようにすることができ、本体内部に吸込んだ空気を無駄なく気化フィルタに通過させるので、高い加湿効率を発揮することができる。
【図面の簡単な説明】
【００１２】
【図１】本発明における加湿装置の外観斜視図である。
【図２】本発明における加湿装置における気化フィルタ設置時の水槽部の上面図および側面図である。
【図３】本発明における加湿装置の縦断面構成図である。
【図４】本発明における加湿装置の送風ケースの分解斜視図である。
【図５】本発明における加湿装置の水槽当接面周辺の拡大構成図である。
【図６】本発明における加湿装置の水槽当接面と本体枠との構成図である。
【図７】本発明における加湿装置の水槽当接面とモータカバーとの構成図である。
【図８】従来の加湿装置における水槽当接面が挿入口側にずれた場合を示す断面図である。
【図９】従来の加湿装置における水槽当接面が外装側にずれた場合を示す断面図である。
【発明を実施するための形態】
【００１３】
好適と考える本発明の最良の形態を、本発明の作用効果を示して簡単に説明する。
【００１４】
本発明の加湿装置は、水槽部先端面との隙間を生じない水槽当接面を設けるとともに、水槽当接面を挟み込む本体枠および送風ケースにより水槽当接面の位置決めをするものである。つまり、水槽部が装着された状態において気化フィルタに空気を通過させる送風経路以外への隙間を閉塞できるように水槽当接面を設け、さらにこの水槽当接面を適正な位置に配置できるように規制したのである。
【００１５】
本体枠および送風ケースにより水槽当接面を内側と外側から挟みこむことで、水槽部当接面が適正な位置に配置され確実に送風経路に隙間が発生しないようにできることから、本体内部に吸込んだ空気を無駄なく気化フィルタに通過させるので、高い加湿効率を得ることができるのである。
【００１６】
また、本体枠および送風ケースに設けた嵌合構造のみによって水槽当接面を係止することにより、ビスなどの係止部品を必要とせず、またビス止め用のボスや穴を部品に成型する必要がないため、コストを抑えることができる。
【００１７】
また、水槽当接面を送風ケースと一体成型とすることによって送風ケースとの接合箇所がないので、部品間に隙間が発生するリスクを減らすことができる。
【実施例１】
【００１８】
以下、本発明の一実施例を図面により説明する。
【００１９】
図１は本発明における加湿装置の外観斜視図である。加湿装置は、樹脂成型品である本体１の正面および側面前部を形成する本体前枠１ａ、側面後部と背面を形成する本体後枠１ｂを有しており、本体１の天面には本体１内で加湿された加湿空気を室内に排出する吹出口２、運転スイッチ等が配置されている操作部３、図示しない給水タンクを本体１に着脱する際に開閉するタンクカバー４が設けられている。
【００２０】
本体１側面の下部には挿入口５が設けられ、この挿入口５を介して本体１内の下部には水槽部６を収容する空間となる水槽収容部７が形成されている。樹脂成型品である水槽部６は、挿入口５から水槽収容部７に挿脱自在に装着される。水槽部６には図示しない給水タンクから供給された水を吸水して湿潤する気化フィルタ８が設けられ、本体１背面に設けられた図示しない吸込口から取り込まれた室内空気を気化フィルタ８に通過させることで水槽部６の水を気化させて加湿空気として吹出口２から放出する。
【００２１】
図２は気化フィルタ８設置時の水槽部６の上面図（ａ）および側面図（ｂ）である。水槽部６の内部は底面より立設する仕切板９によって区画されており、水槽収容部７への挿入方向の先端側には気化フィルタ８が設置される気化フィルタ収容部１０が、手前側には図示しない給水タンクが装着される給水タンク収容部１１が区画形成される。なお、仕切板９は気化フィルタ８の高さよりも高く形成されている。さらに、水槽部６装着状態において本体１側面の一部を形成する水槽部外装面１２の上端は、仕切板９の高さよりも高く形成されている。なお、水槽部６の先端面１３には金型から離型するための抜き勾配が設けられている。
【００２２】
また、気化フィルタ８は略直方体形状をなし、気化フィルタ８の側面が水槽部先端面１３と仕切板９に接するようにして配置される。さらに、水槽部先端面１３と仕切板９には気化フィルタ８の移動を規制する保持片１４が設けられており、気化フィルタ８を設置する際にはこの保持片１４を目印にして保持片１４の内側に上から挿入する。
【００２３】
図３は水槽部６装着状態における加湿装置の縦断面構成図である。挿入口５開口の上辺には、本体１側面よりわずかに水槽収容部７内に入り込むようにして挿入口段差部１５が屈曲形成されており、水槽部６を本体１に装着すると、水槽部外装面１２の上端が挿入口段差部１５に当接して挿入口５が閉塞される。
【００２４】
ファン１６ａと図示しないモータとにより構成される送風機１６の周囲には吹出口２と連通する送風ケース１７が取り付けられており、送風ケース外壁面１８と水槽部６の仕切板９とで略同一面が形成されている。この略同一面により、本体１内部は送風機１６が配置される送風経路空間１９と、図示しない給水タンクが収容される給水タンク収容空間２０の２つの空間に区画され、送風経路空間１９において、本体１背面に設けられた図示しない吸込口、気化フィルタ８、送風機１６、吹出口２の順に空気が通過する送風経路が送風ケース１７を介して形成される。
【００２５】
図４は送風ケース１７の分解斜視図である。樹脂成型品である送風ケース１７は、送風機１６を取り付けるモータカバー２１と、ファン１６ａの周囲を囲うファンカバー２２とにより構成される。なお、送風ケース１７の構成については本実施例のように２部品によるものとは限らない。また、ファンカバー２２の下部には、加湿装置を組み立てた状態では水槽収容部７の最奥部に配置され、水槽部６が装着されると水槽部先端面１３が当接する水槽当接面２３がファンカバー２２と一体成型にて設けられている。
【００２６】
送風ケース外壁面１８の下辺には水槽収容部７の奥側に入り込むようにして外壁面段差部２４が屈曲形成されており、図３に示すように仕切板９の上端が当接する。この当接状態により本体１への水槽部６の装着が完了するとともに、送風経路空間１９が閉塞される。
【００２７】
水槽部６装着状態において、水槽収容部７の最奥部に配置される水槽当接面２３には水槽部先端面１３が当接している。水槽当接面２３の形状は水槽部先端面１３に設けた抜き勾配に沿って成型されているため、水槽部６装着状態では水槽当接面２３と水槽部先端面１３との間には隙間は生じない。これにより、送風経路からの空気漏れを生ずることなく気化フィルタ８に空気を通過させることができる。なお、水槽当接面２３の外装側の面には図示しない補強用のリブを設けて水槽当接面２３の剛性を上げており、反りなどの変形を抑えている。
【００２８】
また、水槽当接面２３は水槽収容部７の最奥部において、図５に示すように、挿入口５側からは本体１の本体後枠１ｂに設けたリブ受け２５が当接しており、一方で外装側からは送風ケース１７のモータカバー２１に設けた位置出し面２６が当接している。この構造により、仮に水槽当接面２３に反りが生じようとしていても、本体後枠１ｂおよびモータカバー２１により水槽当接面２３の内側と外側から挟み込むことで反りを防止できるので、水槽部当接面２３が適正な位置に配置されて確実に送風経路に隙間を発生させず、本体１内部に吸込んだ空気を無駄なく気化フィルタ８に通過させるので、高い加湿効率を得ることができるのである。以下、図６および図７を用いて水槽当接面２３と本体後枠１ｂおよびモータカバー２１の詳細形状について説明する。
【００２９】
図６は水槽当接面２３と本体１の本体後枠１ｂとの構成を説明する図である。水槽当接面２３の下部には位置出しリブ２７を設けており、一方、本体後枠１ｂの位置出しリブ２７が対向する位置にはリブ受け２５と、このリブ受け２５に隣接するスリット部２８を設けている。加湿装置の組立状態において、位置出しリブ２７はスリット部２８に挿し込まれた状態でリブ受け２５と当接する。もし、水槽当接面２３に挿入口５側への反りが生じようとした場合は、水槽当接面２３は本来の設計位置から挿入口５側に膨らもうとするが、リブ受け２５が位置出しリブ２７の膨らみを挿入口５側から抑え付けることにより挿入口５側への水槽当接面２３の位置ずれが規制される。これにより、水槽当接面２３が水槽部先端面１３を押し出すことがないので、確実に水槽部６の仕切板９と外壁面段差部２４とが当接して送風経路空間１９を閉塞でき、送風経路からの空気漏れを発生させることがない。
【００３０】
図７は水槽当接面２３と送風ケース１７のモータカバー２１との構成を説明する図である。モータカバー２１には水槽当接面２３の外装側の面に当接する位置出し面２６を設けており、加湿装置の組立状態において、位置出し面２６は水槽当接面２３の外装側から重なる。もし、水槽当接面２３に外装側への反りが生じようとした場合は、水槽当接面２３は本来の設計位置から外装側に膨らもうとするが、位置出し面２６が水槽当接面２３の膨らみを外装側から抑え付けることにより外装側への水槽当接面２３の位置ずれが規制される。これにより、水槽部先端面１３と水槽当接面２３とが確実に当接するために隙間を生じることがなく、送風経路からの空気漏れを発生させることがない。
【００３１】
つまり、水槽当接面２３は、本体後枠１ｂのリブ受け２５とモータカバー２１の位置出し面２６との組み合わせによって形成される嵌合構造に挿し込んで嵌合することで移動が規制される。この３部品間の嵌合構造のみにより水槽当接面２３は係止されていることから、ビスなどの係止部品を必要とせず、またビス止め用のボスや穴を水槽当接面２３や本体後枠１ｂ、モータカバー２１などに設ける必要がないので、コストを抑えることができる。なお、嵌合構造は本実施例の構造とは限らず、水槽当接面２３が本体後枠１ｂおよびモータカバー２１のそれぞれと係止される嵌合構造を有するものであっても構わない。
【００３２】
また、水槽当接面２３を送風ケース１７となるモータカバー２１と一体成型することによって水槽当接面２３の一辺がモータカバー２１に固定されているため、嵌合構造のみによる係止であっても確実に水槽当接面２３の移動を規制できる。さらに、水槽当接面２３とモータカバー２１との接合箇所がないので部品間に隙間が発生するリスクを減らすことができる。
【符号の説明】
【００３３】
１    本体枠
５    挿入口
６    水槽部
７    水槽収容部
８    気化フィルタ
１３    水槽部先端面
１６    送風機
１７    送風ケース
２３    水槽当接面
【図１】
2015021636.tif 000003
【図２】
2015021636.tif 000004
【図３】
2015021636.tif 000005
【図４】
2015021636.tif 000006
【図５】
2015021636.tif 000007
【図６】
2015021636.tif 000008
【図７】
2015021636.tif 000009
【図８】
2015021636.tif 000010
【図９】
2015021636.tif 000011